(57)【要約】【課題】コストや消費電力を大幅に増大させることなく、簡単な制御で誰にでも見やすくわかりやすいキー表示が可能な移動無線端末装置を提供する。【解決手段】キートップ４１内に、光の波長の透過特性が互いに異なるマスクスクリーンシート４２，４３と、それを背面から異なる波長で照射する緑色ＬＥＤ５１と赤色ＬＥＤ５２を備え、入力モードに応じて制御部がいずれか一方のＬＥＤを点灯させて、マスクスクリーンシート４２あるいは４３で切り抜かれた文字が投影されるようにしたものである。【選択図】      図３
2008009526.tif 000002
【特許請求の範囲】
【請求項１】
移動通信網に収容される無線基地局と無線通信し、前記移動通信網を通じた通信を行う移動無線端末装置において、
モード切り換えの要求を受け付ける入力手段と、
この入力手段を通じた要求に応じてモード切り換えを行う制御手段とを備え、
前記入力手段は、
第１波長帯域の光が透過する透過特性を有するとともに、第２波長帯域の光については部分的に透過する透過特性を有する第１のカラーフィルタと、
前記第２波長帯域の光が透過する透過特性を有するとともに、前記第１波長帯域の光については部分的に透過する透過特性を有する第２のカラーフィルタとを、重ねた状態で備えるとともに、
前記第１のカラーフィルタと前記第２のカラーフィルタを介し当該移動無線端末装置の外部に向けて、第１波長帯域の光を発する第１の発光手段と、
前記第１のカラーフィルタと前記第２のカラーフィルタを介し当該移動無線端末装置の外部に向けて、第２波長帯域の光を発する第２の発光手段とを備え、
前記制御手段は、前記モード切り替えに応じて、前記第１の発光手段と前記第２の発光手段のうち、いずれか一方を選択的に発光させることを特徴とする移動無線端末装置。
【請求項２】
移動通信網に収容される無線基地局と無線通信し、前記移動通信網を通じた通信を行う移動無線端末装置において、
モード切り換えの要求を受け付ける入力手段と、
この入力手段を通じた要求に応じてモード切り換えを行う制御手段とを備え、
前記入力手段は、
第１波長帯域の光が透過する透過特性を有するとともに、第２波長帯域の光については部分的に透過する透過特性を有する第１のカラーフィルタと、
前記第２波長帯域の光が透過する透過特性を有するとともに、前記第１波長帯域の光については部分的に透過する透過特性を有する第２のカラーフィルタとを、重ねた状態で備えるとともに、
光の進行方向を変える導光手段と、
この導光手段と、前記第１のカラーフィルタと前記第２のカラーフィルタを介し当該移動無線端末装置の外部に向けて、第１波長帯域の光を発する第１の発光手段と、
前記導光手段と、前記第１のカラーフィルタと前記第２のカラーフィルタを介し当該移動無線端末装置の外部に向けて、第２波長帯域の光を発する第２の発光手段とを備え、
前記制御手段は、前記モード切り替えに応じて、前記第１の発光手段と前記第２の発光手段のうち、いずれか一方を選択的に発光させることを特徴とする移動無線端末装置。
【請求項３】
前記入力手段は、第１波長帯域の光と第２波長帯域の光とを共に透過するキートップを備え、このキートップの内部に前記第１のカラーフィルタと前記第２のカラーフィルタとを重ねた状態で備えることを特徴とする請求項１または請求項２に記載の移動無線端末装置。
【請求項４】
前記入力手段は、第１波長帯域の光および第２波長帯域の光をいずれも透過させないフィルタを、前記第１のカラーフィルタと前記第２のカラーフィルタを透過した光を遮るように備えることを特徴とする請求項１または請求項２に記載の移動無線端末装置。
【請求項５】
前記入力手段における第１の発光手段、または、第２の発光手段は、発光輝度を変化させることを特徴とする請求項１または請求項２に記載の移動無線端末装置。
【請求項６】
移動通信網に収容される無線基地局と無線通信し、前記移動通信網を通じた通信を行う移動無線端末装置において、
モード切り換えの要求を受け付ける入力手段と、
この入力手段を通じた要求に応じてモード切り換えを行う制御手段とを備え、
前記入力手段は、
面状を成し、側端から導入された光を反射部によって面方向に向けて導出する第１の導光手段と、
面状を成し、側端から導入された光を反射部によって面方向に向けて導出する第２の導光手段と、前記面方向に重ねて備えるとともに、
前記第１の導光手段の側端に対して、第１波長帯域の光を発する第１の発光手段と、
前記第２の導光手段の側端に対して、第２波長帯域の光を発する第２の発光手段とを備え、
前記制御手段は、前記モード切り替えに応じて、前記第１の発光手段と前記第２の発光手段のうち、いずれか一方を選択的に発光させることを特徴とする移動無線端末装置。
【発明の詳細な説明】
【技術分野】
【０００１】
この発明は、例えば携帯電話機やＰＨＳ（Personal Handyphone System）の端末装置などの移動通信に用いられる移動無線端末装置に関する。
【背景技術】
【０００２】
近年、携帯電話機やＰＨＳの端末装置などの移動通信に用いられる移動無線端末装置は、本来の音声通信機能の他に、電子メールの送受信機能や、ディジタルカメラ機能、音楽再生機能、電子マネーの支払い機能など、多機能化が進んでおり、キー入力の操作性の向上やユニバーサルデザインへの要望とともに、誰にでも見やすくわかりやすいキー表示が望まれている。
【０００３】
これに対して従来は、各キー内に液晶表示部を備え、キーに割り当てられた種々の機能を説明する表示を行うようにするものが考えられている（例えば、特許文献１参照）。しかしながら、このような従来の構成では、大幅なコストアップは避けられないばかりか、制御の複雑化や消費電力の増大が問題となり、実用的でなかった。
【特許文献１】特開２００３−１５２８５３公報。
【発明の開示】
【発明が解決しようとする課題】
【０００４】
従来の移動無線端末装置では、多機能化が進んでおり、キー入力の操作性の向上やユニバーサルデザインへの要望とともに、誰にでも見やすくわかりやすいキー表示が望まれている。  
この発明は上記の要望に応えるべくなされたもので、コストや消費電力を大幅に増大させることなく、簡単な制御で誰にでも見やすくわかりやすいキー表示が可能な移動無線端末装置を提供することを目的とする。
【課題を解決するための手段】
【０００５】
上記の目的を達成するために、この発明は、移動通信網に収容される無線基地局と無線通信し、移動通信網を通じた通信を行う移動無線端末装置において、モード切り換えの要求を受け付ける入力手段と、この入力手段を通じた要求に応じてモード切り換えを行う制御手段とを備え、入力手段は、第１波長帯域の光が透過する透過特性を有するとともに、第２波長帯域の光については部分的に透過する透過特性を有する第１のカラーフィルタと、第２波長帯域の光が透過する透過特性を有するとともに、第１波長帯域の光については部分的に透過する透過特性を有する第２のカラーフィルタとを、重ねた状態で備えるとともに、第１のカラーフィルタと第２のカラーフィルタを介し当該移動無線端末装置の外部に向けて、第１波長帯域の光を発する第１の発光手段と、第１のカラーフィルタと第２のカラーフィルタを介し当該移動無線端末装置の外部に向けて、第２波長帯域の光を発する第２の発光手段とを備え、制御手段は、モード切り替えに応じて、第１の発光手段と第２の発光手段のうち、いずれか一方を選択的に発光させるように構成した。
【発明の効果】
【０００６】
以上述べたように、この発明では、主として透過する光の波長が互いに異なり、かつ部分的には他方が主として透過する波長の光を透過する特性を有する２つのカラーフィルタを重ねた状態で設けるとともに、上記２つカラーフィルタがそれぞれ主として透過する波長の光を発する２つの発光手段を設け、モード切り替えに応じて、２つの発光手段のうち、いずれか一方を選択的に発光させるようにしている。
【０００７】
したがって、この発明によれば、一方のカラーフィルタを全面で透過した波長の光は、他方のカラーフィルタにより部分的に透過することになり、また一方のカラーフィルタを部分的に透過した波長の光は、他方のカラーフィルタにて制限されることなく透過することになる。このため、各フィルタの部分的と称した形状を例えば任意の文字の形状とすることで、発光させる発光手段により異なる形状の文字が投影されることになる。
【０００８】
すなわち、透過特性の異なる２つのフィルタを設け、２つの発光手段を選択的に発光させるという簡単な構成と簡単な制御で、２つの形状を選択的に投影できるので、コストや消費電力を大幅に増大させることなく、簡単な制御で誰にでも見やすくわかりやすいキー表示が可能な移動無線端末装置を提供できる。
【発明を実施するための最良の形態】
【０００９】
以下、図面を参照して、この発明の一実施形態について説明する。  
図１は、この発明の一実施形態に係わる移動無線端末装置の外観を示すものである。図１には、折りたたみ式の移動無線端末装置を示しているが、これに限定されるものではなく、形状が変化しないバータイプの移動無線端末装置や、表示部がスライドするタイプや回転するタイプの移動無線端末装置でも、キーを備えるものであれば適用可能である。
【００１０】
図２は、この発明の一実施形態に係わる移動無線端末装置の回路ブロック図を示すものである。この移動無線端末装置は、主たる構成要素として、通信部１０と、表示部２０と、音声入出力部３０と、入力部４０と、発光部５０と、制御部１００とを備える。このほかに、移動無線端末装置は、ＣＣＤ（Charge-Coupled Device）やＣＭＯＳ（Complementary Metal Oxide Semiconductor）などの撮像素子を用いて撮像を行うディジタルカメラや、制御プログラムや制御データを記憶する記憶部、駆動用のバッテリ、充電回路などを備える。
【００１１】
通信部１０は、移動通信網に収容される無線基地局（図示しない）と無線通信するものである。表示部２０は、例えばＬＣＤ（Liquid Crystal Display）などを備えたもので、画像やテキストなどを表示する。音声入出力部３０は、マイクロホンとスピーカを備え、ユーザの送話音声を音声データに変換するとともに、通信相手から受信した音声データに基づく音声信号を拡声出力するものである。
【００１２】
入力部４０は、複数のキーを備え、これが操作されることによりユーザからの要求を受け付けるものである。発光部５０は、当該移動無線端末装置の内部から入力部４０の各キーを照らすＬＥＤ（Light Emitting Diode）５１，５２を複数備えるものである。制御部１００は、当該移動無線端末装置の各部を統括して制御するものであって、音声通信や電子メールの送受信、Ｗｅｂの閲覧、上記ディジタルカメラによる撮影制御、電子メールの作成に関わる入力受付制御などを行う。
【００１３】
入力部４０および発光部５０の構成について説明する。図３は、入力部４０の１つのキーの断面を示すものである。入力部４０の各キーは、透明なプラスチックなどの素材からなりユーザの指が触れるキートップ４１と、その内部にマスクスクリーンシート４２，４３とを備える。マスクスクリーンシート４２，４３は、互いに重なった状態で、キートップ４１内に設けられ、さらにその内部に設けられた発光部５０の緑色ＬＥＤ５１と赤色ＬＥＤ５２により照らされる。ただし、マスクスクリーンシート４２，４３の間にすきまがあってもよいし、透過性を有する他のシート等を挿入してもよい。入力部４０は、キートップ４１がユーザによって操作されると、この操作を図示しないスイッチが検出し、制御部１００に上記検出を通知する。
【００１４】
図４にマスクスクリーンシート４２，４３の、光の波長の透過特性を示す。マスクスクリーンシート４２は、緑色の波長の光を透過しやすく、赤色の波長の光については透過させ難い特性を有するカラーフィルタである。一方、マスクスクリーンシート４３は、赤色の波長の光を透過しやすく、緑色の波長の光については透過させ難い特性を有するカラーフィルタである。
【００１５】
また、マスクスクリーンシート４２，４３の透過特性に合わせて、緑色ＬＥＤ５１と赤色ＬＥＤ５２がそれぞれ発する光の波長を設定する。すなわち、緑色ＬＥＤ５１は、マスクスクリーンシート４２が透過しやすい緑色波長域の光を主として発し、マスクスクリーンシート４３が透過しやすい赤色波長域の光は発さない。一方、赤色ＬＥＤ５２は、マスクスクリーンシート４３が透過しやすい赤色波長域の光を主として発し、マスクスクリーンシート４２が透過しやすい緑色波長域の光は発さない。
【００１６】
そしてマスクスクリーンシート４２は、赤色ＬＥＤ５２から発せられる赤色光をアルファベットなどの文字の形で透過させるようにするために、図５に示すように、アルファベット型に切り抜かれている。すなわち、この切り抜かれた部分は、図４に示したようなフィルタ特性をもたないため、緑色ＬＥＤ５１と赤色ＬＥＤ５２がそれぞれ発する光を共に透過することになる。
【００１７】
同様にマスクスクリーンシート４３は、緑色ＬＥＤ５１から発せられる緑色光をひらがななどの文字の形で透過させるようにするために、図６に示すように、ひらがな型に切り抜かれている。すなわち、この切り抜かれた部分は、図４に示したようなフィルタ特性をもたないため、緑色ＬＥＤ５１と赤色ＬＥＤ５２がそれぞれ発する光を共に透過することになる。
【００１８】
次に、上記構成の移動無線端末装置の動作について説明する。  
まず、アルファベットの入力を行う場合について説明する。制御部１００は、制御プログラムに従って動作し、入力部４０を通じてユーザから直接的にアルファベットの入力を行うためのモード指示を受けたり、あるいは、間接的にアルファベットを入力するための指示を受けると、緑色ＬＥＤ５１を消灯させるとともに、赤色ＬＥＤ５２を点灯させる。これにより、マスクスクリーンシート４３は、赤色ＬＥＤ５２より発せられる赤色光が照射される。
【００１９】
マスクスクリーンシート４３は、その透過特性により、赤色ＬＥＤ５２より発せられる赤色光を全面で透過させることになる。マスクスクリーンシート４３を透過した赤色ＬＥＤ５２の赤色光は、マスクスクリーンシート４２に照射される。マスクスクリーンシート４２は、その透過特性により、マスクスクリーンシート４３を透過した赤色光をほとんど透過させず、アルファベット型に切り抜かれた部分でのみ赤色光を透過させる。
【００２０】
これにより、入力部４０の各キートップには、図７に示すようにアルファベットの文字が赤色光で投影されることになり、ユーザはどのキーでどのアルファベットの入力が入力可能であるか認識できる。また以上のような発光部５０の制御に併せて制御部１００は、入力部４０の操作が為されると、アルファベットの入力要求と見なし、操作されたキーの別や、操作回数に応じたアルファベット文字の入力を受け付ける。
【００２１】
次に、ひらがなの入力を行う場合について説明する。制御部１００は、制御プログラムに従って動作し、入力部４０を通じてユーザから直接的にひらがなの入力を行うためのモード指示を受けたり、あるいは、間接的にひらがなを入力するための指示を受けると、赤色ＬＥＤ５２を消灯させるとともに、緑色ＬＥＤ５１を点灯させる。これにより、マスクスクリーンシート４３は、緑色ＬＥＤ５１より発せられる緑色光が照射される。
【００２２】
マスクスクリーンシート４３は、その透過特性により、緑色ＬＥＤ５１より発せられる緑色光をほとんど透過させず、ひらがな型に切り抜かれた部分でのみ緑色光を透過させる。マスクスクリーンシート４３を透過したひらがな型の緑色光は、マスクスクリーンシート４２に照射される。マスクスクリーンシート４２は、その透過特性により、ひらがな型の緑色光を全面で透過させることになる。
【００２３】
これにより、入力部４０の各キートップには、図８に示すようにひらがなの文字が緑色光で投影されることになり、ユーザはどのキーでどのひらがなの入力が入力可能であるか認識できる。また以上のような発光部５０の制御に併せて制御部１００は、入力部４０の操作が為されると、ひらがなの入力要求と見なし、操作されたキーの別や、操作回数に応じたひらがな文字の入力を受け付ける。
【００２４】
以上のように、上記構成の移動無線端末装置では、光の波長の透過特性が互いに異なるマスクスクリーンシート４２，４３と、それを背面から異なる波長で照射する緑色ＬＥＤ５１と赤色ＬＥＤ５２を備え、入力モードに応じて制御部１００がいずれか一方のＬＥＤを点灯させて、マスクスクリーンシート４２あるいは４３で切り抜かれた文字が投影されるようにしている。
【００２５】
したがって、上記構成の移動無線端末装置によれば、マスクスクリーンシート４２，４３には、いずれか一方の文字種だけを切り抜くことで、２つの文字種が選択的に表示できるようになるので、文字を大きく表示することができ、見やすくわかりやすいキー表示が可能となる。また、ＬＥＤのＯＮ／ＯＦＦ制御と、異なる透過特性を有するマスクスクリーンシートだけで実現できるので、コストや消費電力を大幅に増大させることがない。
【００２６】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００２７】
その一例として例えば、上記実施の形態では、マスクスクリーンシート４２，４３には、ぞれぞれ異なる文字種の切り抜きを行うようにしたが、これに加えて例えば、緑色光も赤色光も透過しないラベル（フィルタ）を文字の形にして貼り付けたりするようにしてもよい。これによれば、緑色ＬＥＤ５１を消灯させるとともに、赤色ＬＥＤ５２を点灯させると、マスクスクリーンシート４２上で切り抜かれたアルファベット４２ａが投影されると共に、上記ラベルに相当するアラビア数字４１ａが投影される。また赤色ＬＥＤ５２を消灯させるとともに、緑色ＬＥＤ５１を点灯させると、マスクスクリーンシート４３上で切り抜かれたひらがな４３ａが投影されると共に、上記ラベルに相当するアラビア数字４１ａが投影される。
【００２８】
すなわち、アラビア数字４１ａは、どちらのＬＥＤを点灯させた場合にも、常に投影されることになる。このように、上述したようなラベルを用いることで、特定の文字については、常に投影されるようにすることが可能である。なお、ラベルは、マスクスクリーンシート４２あるいは４３に印字するようにしてもよいし、キートップ４１に印字するようにしてもよい。
【００２９】
また、上記実施の形態では、ひらがなとアルファベットの表示切替について説明しているが、切り替える表示項目はひらがなとアルファベットに限らず、例えば縦向きの文字と横向きの文字等の互いに異なった向きの文字の切り替えや、異なる言語の文字の切り替えや、機能を表すアイコンの表示切替等、切り替えする文字や図柄はどのようなものであってもよい。
【００３０】
また、上記実施の形態では、マスクスクリーンシート４２，４３の背面から緑色ＬＥＤ５１と赤色ＬＥＤ５２により照らすようにしたが、これに限定されるものではない。例えば、図１１に示すように、側端から導入した光を屈折させて面方向に導出する導光板４４をマスクスクリーンシート４２，４３の背面に載置し、導光板４４の側端などの近傍に緑色ＬＥＤ５１と赤色ＬＥＤ５２を設けるようにしてもよい。このような構成によっても、導光板４４を通じて、緑色ＬＥＤ５１や赤色ＬＥＤ５２より発せられる光がマスクスクリーンシート４２，４３の背面を照射することになるので同様の効果が得られる。このとき、導光板４４とＬＥＤ５１，５２の代わりに緑色と赤色を選択的に発光できる有機ＥＬ素子等の面発光素子を用いてもよい。
【００３１】
また、図１２に示すような構成も考えられる。すなわち、マスクスクリーンシート４２，４３は用いずに、側端に緑色ＬＥＤ５１が設けられた面状の導光板４５と、側端に赤色ＬＥＤ５２が設けられた面状の導光板４６とを、面が対峙するように重ねて設ける。導光板４５，４６には、それぞれ側端から導入した光をキートップ４１方向（面方向）に屈折させて導出する反射部Ｒを設ける（反射部Ｒは、例えば切り欠きにより形成する）。そして反射部Ｒは、図１３に示すように、文字を形作るように形成される。このような構成によっても、制御部１００が緑色ＬＥＤ５１や赤色ＬＥＤ５２を切り替え点灯することで、異なる文字をキートップ４１に選択的に投影することができる。
【００３２】
そしてまた、上記実施の形態では、緑色と赤色との２つの波長の光について言及しているが、これ以外の波長の光を用いてもよく、また２つだけではなく３つ以上の異なる透過特性を有するマスクスクリーンシートと光源を用いれば、３種類以上の文字などを投影させることができる。
【００３３】
また、上記実施の形態では、緑色ＬＥＤ５１や赤色ＬＥＤ５２の点灯／消灯の制御のみについて言及しているが、文字の入力モードやメールアプリ等の選択しているアプリモードや端末画面の明るさ、端末ヒンジの状態や端末の保持向きや加速度、外部環境の明るさ等により発光輝度を段階的に制御するようにしてもよい。
【００３４】
さらにまた、上記実施の形態では、キートップ４１と、マスクスクリーンシート４２，４３とからなる構成として説明したが、キートップ４１がマスクスクリーンシート４２あるいは４３のいずれか一方の機能を備えるようにし、他方のマスクスクリーンシートのみをその内部に設けるようにしてもよい。
【００３５】
また、上記実施の形態では、入力部４０を通じてユーザから指示によりキー入力部の表示切り換えを行う説明をしたが、これに限定されるものではなく、たとえば、端末において動作の切り換えを検出すると、ユーザの指示によるものではなく、プログラムの制御により自動的にキー入力部の表示の切り換えが行われるようにしてもよい。  
その他、この発明の要旨を逸脱しない範囲で種々の変形を施しても同様に実施可能であることはいうまでもない。
【図面の簡単な説明】
【００３６】
【図１】この発明に係わる移動無線端末装置の一実施形態の外観を示す図。
【図２】図１に示した移動無線端末装置の構成を示す回路ブロック図。
【図３】図１に示した移動無線端末装置のキー入力部のキーの構成を示す断面図。
【図４】図１に示した移動無線端末装置のキー入力部のマスクスクリーンシートの透過特性を示す図。
【図５】図１に示した移動無線端末装置のキー入力部のマスクスクリーンシートに設ける切り抜きの一例を示す図。
【図６】図１に示した移動無線端末装置のキー入力部のマスクスクリーンシートに設ける切り抜きの一例を示す図。
【図７】図１に示した移動無線端末装置のキー入力部のキートップに投影される文字の様子を示す図。
【図８】図１に示した移動無線端末装置のキー入力部のキートップに投影される文字の様子を示す図。
【図９】この発明に係わる移動無線端末装置の変形例においてキー入力部のキートップに投影される文字の様子を示す図。
【図１０】この発明に係わる移動無線端末装置の変形例においてキー入力部のキートップに投影される文字の様子を示す図。
【図１１】この発明に係わる移動無線端末装置の変形例のキー入力部のキーの構成を示す断面図。
【図１２】この発明に係わる移動無線端末装置の変形例のキー入力部のキーの構成を示す断面図。
【図１３】図１２に示した移動無線端末装置のキー入力部に設けられる導光板の構成を示す図。
【符号の説明】
【００３７】
１０…通信部、２０…表示部、３０…音声入出力部、４０…入力部、４１…キートップ、４２，４３…マスクスクリーンシート、４４，４５，４６…導光板、５０…発光部、５１…緑色ＬＥＤ、５２…赤色ＬＥＤ、１００…制御部、Ｒ…反射部。
【図１】
2008009526.tif 000003
【図２】
2008009526.tif 000004
【図３】
2008009526.tif 000005
【図４】
2008009526.tif 000006
【図５】
2008009526.tif 000007
【図６】
2008009526.tif 000008
【図７】
2008009526.tif 000009
【図８】
2008009526.tif 000010
【図９】
2008009526.tif 000011
【図１０】
2008009526.tif 000012
【図１１】
2008009526.tif 000013
【図１２】
2008009526.tif 000014
【図１３】
2008009526.tif 000015